(57)【特許請求の範囲】
【請求項１】
地盤に掘削された挿入孔内部に挿入された注入外管の内部に挿入され、地盤改良のための薬液を注入するための薬液注入管であって、
注入管本体と、
内部に膨出流体を注入すると前記注入管本体から周方向に膨出して前記注入外管の内壁を閉塞する第１パッカーと、
前記第１パッカーより下流側に配置され、内部に前記膨出流体を注入すると前記注入管本体から周方向に膨出して前記注入外管の内壁を閉塞する第２パッカーと、
前記第１パッカー及び前記第２パッカーに前記膨出流体を注入するために前記注入管本体内部に配置されて前記第２パッカーの下流側へと延長された流体移送管と、
第１薬液を前記地盤へと注入するために前記注入管本体の周面であって前記第１パッカーと前記第２パッカーとの間に配置された第１注入口と、
前記第１注入口へと前記第１薬液を導くために前記注入管本体内部に配置されて前記第１注入口に連通された第１薬液移送管と、
前記第１注入口と異なる第２注入口へと第２薬液を導くために前記注入管本体内部に配置されて前記第２パッカーの下流側へと延長された第２薬液移送管と、
前記第２注入口を有する延長注入管を連結するために前記第２パッカーの下流側に配置された連結部と、を有し、
前記注入管本体が、
前記流体移送管が前記第２薬液移送管の周囲を囲んで配置された状態から、前記第２薬液移送管が前記流体移送管の周囲を囲んで配置された状態へと、配置状態を変更する配置状態変更部を有し、
前記連結部において、前記第２薬液移送管が前記流体移送管の周囲を囲んで配置された状態となっている、薬液注入管。
【請求項２】
前記延長注入管が、
延長注入管本体と、
内部に前記膨出流体を注入すると前記延長注入管本体から周方向に膨出して前記注入外管の内壁を閉塞する第３パッカーと、
前記第３パッカーより下流側に配置され、内部に前記膨出流体を注入すると前記延長注入管本体から周方向に膨出して前記注入外管の内壁を閉塞する第４パッカーと、
前記第３パッカー及び前記第４パッカーに前記膨出流体を注入するために前記延長注入管本体内部に配置されて前記流体移送管に連通する延長流体移送管と、
前記第２薬液を前記地盤へと注入するために前記延長注入管本体の周面であって前記第３パッカーと前記第４パッカーとの間に配置された第２注入口と、
前記第２注入口へと前記第２薬液を導くために前記延長注入管本体内部に配置されて前記第２薬液移送管と前記第２注入口とに連通する延長第２薬液移送管と、
を有し、かつ、
当該延長注入管が、前記連結部に直接、又は、延長部材を介して連結された、請求項１に記載の薬液注入管。
【請求項３】
前記延長注入管が、前記延長部材を介して連結されている場合において、前記延長部材が長さ変更可能である、請求項２に記載の薬液注入管。
【請求項４】
請求項２又は請求項３に記載の薬液注入管を用いて地盤に薬液を注入する薬液注入工法であって、
前記流体移送管内及び前記延長流体移送管内に上流側から前記膨出流体を圧送し、前記第１パッカーと前記第２パッカーと前記第３パッカーと前記第４パッカーとを前記注入管本体から周方向に膨出させて前記注入外管の内壁を閉塞する工程と、
前記第１薬液移送管内に上流側から前記第１薬液を圧送し、前記第１注入口から前記地盤へと前記第１薬液を注入する工程と、
前記第２薬液移送管内及び前記延長第２薬液移送管内に上流側から前記第２薬液を圧送し、前記第２注入口から前記地盤へと前記第２薬液を注入する工程と、
を有する薬液注入工法。
【発明の詳細な説明】
【技術分野】
【０００１】
本発明は、地盤改良に用いられる薬液注入管及び薬液注入工法に関する。
【背景技術】
【０００２】
従来より、地盤改良のための薬液注入工法として、二重管ダブルパッカー注入工法等がある。この、二重管ダブルパッカー注入工法は、例えば、特許文献１等に開示されるように、地盤を掘削して挿入孔を形成すると共に、この挿入孔に二重管（注入外管及び薬液注入管）を挿入し、この二重管から地盤に薬液を注入する工法である。二重管ダブルパッカー注入工法は、地盤に薬液を確実に注入させることができるため、多くの施工実績を残しており、また、現在でも広く利用されている。
【０００３】
この二重管ダブルパッカー注入工法では、挿入孔内に注入外管（マンシェットチューブともいう。）を挿入し、その注入外管内に薬液注入管を挿入する。薬液注入管で薬液を地盤に対して注入する際には、注入口の上下に配置されたパッカーを膨出させて注入外管内壁に密着させ、注入外管内に上下パッカーで閉塞された閉塞空間を作り出し、その閉塞空間内に注入口から高圧で薬液を噴出させる。
【０００４】
上下をパッカーで閉塞された閉塞空間内に噴出された薬液は、注入外管の噴出口から放射方向に外部へと噴出し、地盤へと浸透して地盤を改良する。薬液としては一次薬液としてのセメントベントナイトや二次薬液としての水ガラス系注入材等が使用され、これらを地盤に浸透させることにより、地盤の改良、すなわち一定の大きさの地盤の固化体の生成を行う。
【先行技術文献】
【特許文献】
【０００５】
【特許文献１】特開平９−３８６８号公報
【発明の概要】
【発明が解決しようとする課題】
【０００６】
二重管ダブルパッカー注入工法において、従来の薬液注入管によれば、１箇所の注入口から薬液が地盤へと注入され、１回の処理工程において、１個の固化体の生成しかできない。したがって、これを挿入孔に沿って全体的な地盤改良を行うためには、所定間隔（例えば、数１０ｃｍ間隔）ずつ位置をずらして薬液注入プロセスを行う必要がある。
【０００７】
つまり、１箇所における地盤改良において、上下パッカーを膨出させ、薬液を噴出させ、上下パッカーを収縮させ、薬液注入管を所定間隔（数１０ｃｍ）だけずらし、再び上下パッカーを膨出させ、というように、多くの工程を数１０ｃｍずつずらしながら膨大な回数繰り返し行う必要がある。したがって、挿入孔に沿って全体的に地盤改良を完了させるのに、多くの工程と時間が費やされ、作業効率が高いとはいえない。
【０００８】
本発明が解決しようとする主たる課題は、複数個所における薬液注入プロセスを短時間で行うことができ、結果的に地盤改良作業を効率的に完了させることのできる薬液注入管及び薬液注入工法を提供することにある。
【課題を解決するための手段】
【０００９】
この課題を解決した本発明は、以下の趣旨に基づく。
【００１０】
［趣旨１］
地盤に掘削された挿入孔内部に挿入された注入外管の内部に挿入され、地盤改良のための薬液を注入するための薬液注入管であって、
注入管本体と、
内部に膨出流体を注入すると前記注入管本体から周方向に膨出して前記注入外管の内壁を閉塞する第１パッカーと、
前記第１パッカーより下流側に配置され、内部に前記膨出流体を注入すると前記注入管本体から周方向に膨出して前記注入外管の内壁を閉塞する第２パッカーと、
前記第１パッカー及び前記第２パッカーに前記膨出流体を注入するために前記注入管本体内部に配置されて前記第２パッカーの下流側へと延長された流体移送管と、
第１薬液を前記地盤へと注入するために前記注入管本体の周面であって前記第１パッカーと前記第２パッカーとの間に配置された第１注入口と、
前記第１注入口へと前記第１薬液を導くために前記注入管本体内部に配置されて前記第１注入口に連通された第１薬液移送管と、
前記第１注入口と異なる第２注入口へと第２薬液を導くために前記注入管本体内部に配置されて前記第２パッカーの下流側へと延長された第２薬液移送管と、
前記第２注入口を有する延長注入管を連結するために前記第２パッカーの下流側に配置された連結部と、
を有する薬液注入管。
【００１１】
［趣旨２］
前記延長注入管が、
延長注入管本体と、
内部に前記膨出流体を注入すると前記延長注入管本体から周方向に膨出して前記注入外管の内壁を閉塞する第３パッカーと、
前記第３パッカーより下流側に配置され、内部に前記膨出流体を注入すると前記延長注入管本体から周方向に膨出して前記注入外管の内壁を閉塞する第４パッカーと、
前記第３パッカー及び前記第４パッカーに前記膨出流体を注入するために前記延長注入管本体内部に配置されて前記流体移送管に連通する延長流体移送管と、
前記第２薬液を前記地盤へと注入するために前記延長注入管本体の周面であって前記第３パッカーと前記第４パッカーとの間に配置された第２注入口と、
前記第２注入口へと前記第２薬液を導くために前記延長注入管本体内部に配置されて前記第２薬液移送管と前記第２注入口とに連通する延長第２薬液移送管と、
を有し、かつ、
当該延長注入管が、前記連結部に直接、又は、延長部材を介して連結された、趣旨１に記載の薬液注入管。
【００１２】
［趣旨３］
前記延長注入管が、前記延長部材を介して連結されている場合において、前記延長部材が長さ変更可能である、趣旨２に記載の薬液注入管。
【００１３】
［趣旨４］
前記注入管本体が、
前記流体移送管が前記第２薬液移送管の周囲を囲んで配置された状態から、前記第２薬液移送管が前記流体移送管の周囲を囲んで配置された状態へと、配置状態を変更する配置状態変更部を有する、趣旨１から趣旨３のうちいずれか１つに記載の薬液注入管。
【００１４】
［趣旨５］
趣旨２から趣旨４のうちいずれか１項に記載の薬液注入管を用いて地盤に薬液を注入する薬液注入工法であって、
前記流体移送管内及び前記延長流体移送管内に上流側から前記膨出流体を圧送し、前記第１パッカーと前記第２パッカーと前記第３パッカーと前記第４パッカーとを前記注入管本体から周方向に膨出させて前記注入外管の内壁を閉塞する工程と、
前記第１薬液移送管内に上流側から前記第１薬液を圧送し、前記第１注入口から前記地盤へと前記第１薬液を注入する工程と、
前記第２薬液移送管内及び前記延長第２薬液移送管内に上流側から前記第２薬液を圧送し、前記第２注入口から前記地盤へと前記第２薬液を注入する工程と、
を有する薬液注入工法。
【００１５】
本発明の更なる目的又はその他の特徴は、以下添付図面を参照して説明される好ましい実施の形態によって明らかにされるであろう。
【発明の効果】
【００１６】
本発明によれば、複数個所における薬液注入プロセスを短時間で行うことができ、結果的に地盤改良作業を効率的に完了させることができる。
【図面の簡単な説明】
【００１７】
【図１】実施形態１に係る薬液注入管の外観図である。
【図２】実施形態１に係る薬液注入管の内部構造の概略を示す概略構造図である。
【図３】実施形態２に係る薬液注入管の外観図である。
【図４】実施形態２に係る薬液注入管の内部構造の概略を示す概略構造図である。
【発明を実施するための形態】
【００１８】
[実施形態１]
以下、実施形態１について図面を用いて説明する。図１は、本発明に係る薬液注入管１００の外観図である。図１においては、正面図（管の長手方向にに直交して矢視したもの）及び左右側面図の３面図を示している。図２は、薬液注入管１００の内部構造の概略を示す概略構造図である。この薬液注入管１００は、複数の管部材が列状に連結されて長手方向に延びる１本の注入管本体１０を構成し、その注入管本体１０の周面には、間隔をあけて２つのパッカーＰ１，Ｐ２が配置され、その２つのパッカーＰ１，Ｐ２間に第１注入口１が配置されている。注入管本体１０の先端（最下流部）近傍には、後述する延長注入管２００（図３参照）を連結するための連結部３が配置されている。
【００１９】
この薬液注入管１００は、地盤に掘削された挿入孔に図示しない注入外管が挿入された上で、その注入外管の内部に挿入されて使用される。薬液注入管１００から外部へ放射状に噴出した地盤改良用の薬液が注入外管を経て地盤へと注入され、地盤内に一定の大きさの固化体を形成することによって地盤を改良する。
【００２０】
注入管本体１０の根元部（上流部）４側が、図示しないエアポンプ（膨出流体供給装置）や薬液ポンプ（薬液供給装置）に接続され、エアポンプの作動により第１パッカーＰ１や第２パッカーＰ２が膨出し、薬液ポンプの作動により薬液が第１注入口１や第２注入口２から噴出するようになっている。また、注入管本体１０の連結部３には、後述する延長注入管２００が連結可能である。
【００２１】
第１パッカーＰ１は、樹脂又はゴム等の弾性部材で形成され、注入管本体１０の長手方向における所定位置で全周に亘って配置されている。第１パッカーＰ１は、その内部に膨出流体Ｌ３を注入すると注入管本体１０から主として周方向に風船のように膨出する膨出体である。第１パッカーＰ１は、注入管本体１０内部を通るエア流路（流体移送管）１３に連通しており、エア流路１３を介して移送される膨出流体Ｌ３が第１パッカーＰ１内部に注入可能とされている。
【００２２】
膨出流体Ｌ３は、パッカーＰ１，Ｐ２を膨出させるための流体であり、本実施形態１では典型的にエア（空気）を膨出流体Ｌ３として使用するが、エアＬ３以外にも、水、その他の流体を利用することができる。パッカーＰ１，Ｐ２内へのエアＬ３の注入圧は、例えば１〜５ＭＰａである。
【００２３】
第２パッカーＰ２は、第１パッカーＰ１と所定間隔を空けて注入管本体１０の全周に亘って配置されたパッカーであり、その構成については、第１パッカーＰ１と略同様であるので詳細な説明を省略する。第２パッカーＰ２は、第１パッカーＰ１よりも下流側に配置されている。下流側とは、パッカーを膨出させる際にエア流路１３内をエアＬ３が流れる方向に沿って（すなわち、薬液注入工程において薬液移送管内を薬液が流れる方向に沿って）下流側であることを意味し、連結部３により近い側が下流側である。第２パッカーＰ２もエア流路１３に連通している。
【００２４】
第１注入口１は、第１薬液Ｌ１を地盤へと注入するために注入管本体１０の周面であって第１パッカーＰ１と第２パッカーＰ２との間に配置されている。第１注入口１は、注入管本体１０の周面に形成された開口であり、注入管本体１０内部を通る第１薬液流路（第１薬液移送管）１１に連通している。第１薬液流路１１を圧送されてきた第１薬液Ｌ１は、第１注入口１を介して注入管本体１０の外部、すなわち注入外管内へと噴出するようになっている。
【００２５】
第１薬液Ｌ１としては、例えば、地盤の粗詰めのための一次注入材としてセメントベントナイトが適用されてもよいし、地盤を構成する粒子間の浸透を目的とした二次注入材としての水ガラス系注入材が適用されてもよい。第１薬液Ｌ１の第１薬液流路１１内での注入圧は、例えば０．１〜５ＭＰａである。
【００２６】
連結部３は、後述する第２注入口２（図３参照）を有する延長注入管２００を連結するための部分であり、注入管本体１０の最下流部近傍に配置されている。連結部３は、延長注入管２００との連結を確実とする構造であればよく、例えばネジ構造であってもよいし、クランプによる締結であってもよい。
【００２７】
図２に示すように、この薬液注入管１００の管内部には、エア流路１３、第１薬液流路１１、第２薬液流路（第２薬液移送管）１２が配置されている。エア流路１３は、第１パッカーＰ１及び第２パッカーＰ２にエアＬ３を注入するための流路であって、第１パッカーＰ１及び第２パッカーＰ２と連通し、根元部４から第２パッカーＰ２の下流側へと延長されて連結部３まで至っている。エア流路１３は、薬液注入管１００に延長注入管２００が連結された場合に、延長エア流路（延長流体移送管）２１を介して第３パッカーＰ３及び第４パッカーＰ４と連通可能となっている。
【００２８】
第１薬液流路１１は、第１注入口１へと第１薬液Ｌ１を導くための流路であって、根元部４から延長されて第１注入口１と連通している。第２薬液流路１２は、第１注入口１と異なる第２注入口２へと第２薬液を導くための流路であって、根元部４から第２パッカーＰ２の下流側へと延長されて連結部３まで至っている。第２薬液流路１２は、薬液注入管１００に延長注入管２００が連結された場合に、延長第２薬液流路（延長第２薬液移送管）２３を介して第２注入口２と連通可能となっている。
【００２９】
注入管本体１０は、流路変更部（配置状態変更部）４０を有している。流路変更部４０は、エア流路１３が第２薬液流路１２の周囲を囲んで配置された状態から、第２薬液流路１２がエア流路１３の周囲を囲んで配置された状態へと流路の配置状態を変更する部分である。流路変更部４０よりも上流側では、エア流路１３が外側で第２薬液流路１２が内側の略同心円断面の二重管流路を形成して、エアＬ３が第２薬液Ｌ２の周囲を流れるように構成されている。流路変更部４０よりも下流側では、第２薬液流路１２が外側でエア流路１３が内側の略同心円断面の二重管流路を形成して、第２薬液Ｌ２がエアＬ３の周囲を流れるように構成されている。
【００３０】
このように構成することで、薬液の方が膨出流体よりも外側を流れている従来の一般的な構造の薬液注入管を延長注入管２００として利用することができる。また、第１パッカーＰ１及び第２パッカーＰ２においては、エア流路１３をパッカーの近傍位置に配置することができ、エアＬ３をパッカーＰ１，Ｐ２に注入するのが容易となる。エア流路１３からパッカーＰ１，Ｐ２に至る導入路を長く形成する必要がなく、又は、場合によっては導入路自体を不要とすることができ、構造を簡単なものにすることができる。
【００３１】
実施形態１に係る薬液注入管１００によれば、連結部３を介して延長注入管２００を連結することができる。そして、エア流路１３を流れるエアＬ３及び第２薬液流路１２を流れる第２薬液Ｌ２を延長注入管２００にまで供給することができる。
【００３２】
[実施形態２]
実施形態２に係る薬液注入管１００について図面を用いて説明する。なお、実施形態２において、実施形態１と同様の構成については同様の符号を付し、その説明を省略する。実施形態２に係る薬液注入管１００は、実施形態１に係る注入管本体１０の連結部３に延長ホース（延長部材）３０を介して延長注入管２００が連結されて構成される。
【００３３】
図３は、実施形態２に係る薬液注入管１００の外観図である。図４は、実施形態２に係る薬液注入管１００の内部構造の概略を示す概略構造図である。延長注入管２００は延長注入管本体２０を有しており、その延長注入管本体２０の周面には、間隔をあけて２つのパッカーＰ３，Ｐ４が配置され、その２つのパッカーＰ３，Ｐ４間に第２注入口２が配置されている。延長注入管本体２０の根元部（上流部）２４側が延長ホース３０の先端部と連結され、注入管本体１０の連結部３側が延長ホース３０の根元部（上流部）と連結されて、実施形態２に係る薬液注入管１００が構成される。
【００３４】
第３パッカーＰ３は、第１及び第２パッカーＰ１，Ｐ２と同様に樹脂又はゴム等の弾性部材で形成され、延長注入管本体２０の長手方向における所定位置で全周に亘って配置されている。第３パッカーＰ３の構成については、第１パッカーＰ１と略同様である。第３パッカーＰ３は、延長注入管本体２０内部を通る延長エア流路（延長流体移送管）２１と連通しており、内部にエアＬ３が注入可能となっている。
【００３５】
第４パッカーＰ４は、第３パッカーＰ３と所定間隔を空けて延長注入管本体２０の全周に亘って配置されたパッカーであり、その構成については、第２パッカーＰ２と略同様である。第４パッカーＰ４は、第３パッカーＰ３よりも下流側に配置されている。第４パッカーＰ４も延長エア流路２１に連通している。
【００３６】
第２注入口２は、第２薬液Ｌ２を地盤へと注入するために延長注入管本体２０の周面であって第３パッカーＰ３と第４パッカーＰ４との間に配置されている。第２注入口２は、延長注入管本体２０の周面に形成された開口であり、延長注入管本体２０内部を通る延長第２薬液流路（延長第２薬液移送管）２３に連通している。延長第２薬液流路２３を圧送されてきた第２薬液Ｌ２は、第２注入口２を介して延長注入管本体２０の外部、すなわち注入外管内へと噴出するようになっている。
【００３７】
第２薬液Ｌ２としては、例えば、地盤の粗詰めのための一次注入材としてセメントベントナイトが適用されてもよいし、地盤を構成する粒子間の浸透を目的とした二次注入材としての水ガラス系注入材が適用されてもよい。第２薬液Ｌ２の延長第２薬液流路２３内での注入圧は、例えば０．１〜５ＭＰａである。第２薬液Ｌ２は、もちろん第１薬液Ｌ１と同じ薬液であってもよい。
【００３８】
延長ホース３０は、注入管本体１０と延長注入管本体２０とを連結するためのホース部材であって、その長さが所定長さＬとされている。この所定長さＬを調整することにより、第１注入口１と第２注入口２との間隔（ピッチ）を調整することができる。延長ホース３０の長さを調整する構成としては、延長ホース３０が伸縮可能に構成されてその長さが変更可能とされていてもよいし、長さの異なる延長ホース３０を複数準備して、適宜適切な長さの延長ホース３０を使用してもよい。延長ホース３０の長さを変更可能に構成すると、第１注入口１から地盤に注入される第１薬液Ｌ１による固化体の大きさや第２注入口２から地盤に注入される第２薬液Ｌ２による固化体の大きさに応じて、第１注入口１と第２注入口２との間隔を適切に調整することができる。
【００３９】
図４に示すように、この延長注入管本体２０の管内部には、延長エア流路２１、延長第２薬液流路２３が配置されている。延長エア流路２１は、第３パッカーＰ３及び第４パッカーＰ４にエアＬ３を注入するための流路であって、根元部２４から延長されて第１パッカーＰ１及び第２パッカーＰ２と連通している。延長第２薬液流路２３は、第２注入口２へと第２薬液Ｌ２を導くための流路であって、根元部２４から延長されて第２注入口２と連通している。
【００４０】
延長ホース３０内には、中継エア流路３３と中継第２薬液流路３２とが配置されている。中継エア流路３３は、エア流路１３と延長エア流路２１とを接続し、エアＬ３を延長エア流路２１まで到達させる。中継第２薬液流路３２は、第２薬液流路１２と延長第２薬液流路２３とを接続し、第２薬液Ｌ２を延長第２薬液流路２３まで到達させる。
【００４１】
なお、エアＬ３の方が第２薬液Ｌ２よりも外側を流れている構成から第２薬液Ｌ２の方がエアＬ３よりも外側を流れている構成に流路が変更される部分（流路変更部４０）は、注入管本体１０側に位置していても、延長ホース３０内に位置していてもよい。延長注入管本体２０の根元部２４の位置で第２薬液Ｌ２の方がエアＬ３よりも外側を流れていればよい。
【００４２】
［薬液注入工法］
実施形態２に係る薬液注入管１００を用いて地盤に薬液を注入する薬液注入工法について、説明する。
【００４３】
ケーシングロッドを打ち込みながら地盤に挿入孔を掘削し、そのケーシングロッド内にセメントベントナイト等の固化液を材料とするスリーブグラウトを充填する。ケーシングロッド内に注入外管（マンシェットチューブ）を挿入し、その後ケーシングロッドを引き抜く。
【００４４】
注入外管内に実施形態２に係る薬液注入管１００を挿入する。エア流路１３内及び延長エア流路２１内に上流側からエアＬ３を圧送し、第１パッカーＰ１と第２パッカーＰ２と第３パッカーＰ３と第４パッカーＰ４とを注入管本体１０から周方向に膨出させて注入外管の内壁を閉塞する（パッカー膨出工程）。
【００４５】
第１薬液流路１１内に上流側から第１薬液Ｌ１を圧送し、第１注入口１から地盤へと第１薬液Ｌ１を注入する（第１薬液注入工程）。第１薬液Ｌ１は、第１パッカーＰ１及び第２パッカーＰ２で閉塞された注入外管内部に充満し、更なる圧送を受けて注入外管の適宜の位置に開口形成された噴出口から地盤へと放射状に噴出する。
【００４６】
第２薬液流路１２内及び延長第２薬液流路２３内に上流側から第２薬液Ｌ２を圧送し、第２注入口２から地盤へと第２薬液Ｌ２を注入する（第２薬液注入工程）。第２薬液Ｌ２は、第３パッカーＰ３及び第４パッカーＰ４で閉塞された注入外管内部に充満し、更なる圧送を受けて注入外管の適宜の位置に開口形成された噴出口から地盤へと放射状に噴出する。
【００４７】
この第１薬液注入工程と第２薬液注入工程とは同時に行ってもよい。それにより、作業時間の短縮に寄与する。また、第１薬液Ｌ１と第２薬液Ｌ２とが同じ薬液であってもよいことはすでに述べた通りである。
【００４８】
第１薬液注入工程と第２薬液注入工程とが終了すると、第１〜第４パッカーＰ１〜Ｐ４を収縮させる（パッカー収縮工程）。その後、薬液注入管１００を所定距離移動させる（移動工程）。この所定距離は、第１注入口１と第２注入口２との間隔や、生成される固化体の大きさ等によって決定される。移動工程が完了したら、その位置で再びパッカー膨出工程、第１薬液注入工程、第２薬液注入工程が実行され、その後パッカー収縮工程、移動工程が実行される。薬液注入管１００を移動させながら、これら工程を繰り返し、挿入孔に沿って全体的な地盤改良作業を進める。
【００４９】
この実施形態２に係る薬液注入管１００によれば、２つの注入口を有し、各々から薬液を地盤に向けて注入することができるので、薬液注入工程の大幅な時間短縮を図ることができ、地盤改良の作業効率を高めることができる。
【００５０】
以上、実施の形態を説明したが、本発明はこれらに限定されるものではなく、その要旨の範囲内で様々な変形や変更が可能である
例えば、上記実施形態２では、注入口が２つの薬液注入管について説明したが、もちろん、延長注入管が更に連結されて３つ以上の注入口を有する薬液注入管を構成してもよい。その場合において、第１、第２に加え、第３注入口に連通する新たに第３薬液移送管が必要となる。
【符号の説明】
【００５１】
１…第１注入口                        ２…第２注入口
３…連結部                            ４…根元部
１０…注入管本体                      １１…第１薬液流路（第１薬液移送管）
１２…第２薬液流路（第２薬液移送管）  １３…エア流路（流体移送管）
２０…延長注入管本体                  ２１…延長エア流路（延長膨出流体移送管）
２３…延長第２薬液流路（延長第２薬液移送管）
２４…根元部                          ３０…延長ホース（延長部材）
３３…中継エア流路                    ３２…中継第２薬液流路
４０…流路変更部（配置状態変更部）    １００…薬液注入管
２００…延長注入管                    Ｌ…所定長さ
Ｌ１…第１薬液                        Ｌ２…第２薬液
Ｌ３…エア（膨出流体）                Ｐ１…第１パッカー
Ｐ２…第２パッカー                    Ｐ３…第３パッカー
Ｐ４…第４パッカー
【図１】
0006350908.tif 000002
【図２】
0006350908.tif 000003
【図３】
0006350908.tif 000004
【図４】
0006350908.tif 000005